(57)【要約】【課題】ユーザ数の増加に対応して、光ファイバを効率的かつ経済的に増設することが可能な光配線方法、光伝送システムおよび光配線装置を提供する。【解決手段】伝送装置１に光接続された装置側光ファイバ３を、カプラ収納部４に収納された局側光カプラ５を介して複数本の外線側光ファイバ６に分岐し、これら外線側光ファイバ６のそれぞれを、光接続箱１６に収納された分配用光カプラ７まで布線して、該分配用光カプラ７によって複数本の分配用光ファイバ１７に分岐し、これら分配用光ファイバ１７のそれぞれを端末１９まで布線した光伝送システムにおいて、前記カプラ収納部４に、分岐数の異なる複数種類の局側光カプラ５を収納し、前記局側光カプラ５を介して一の伝送装置１に光接続される分配用光カプラ７の個数および分岐数を、各局側光カプラ５の分岐数に応じて、異なる数とする。【選択図】  図２
2005017519.tif 000002
【特許請求の範囲】
【請求項１】
伝送装置（１）に光接続された装置側光ファイバ（３）を、カプラ収納部（４）に収納された局側光カプラ（５）を介して複数本の外線側光ファイバ（６）に分岐し、これら外線側光ファイバのそれぞれを、光接続箱（１６）に収納された分配用光カプラ（７）まで布線して、該分配用光カプラによって複数本の分配用光ファイバ（１７）に分岐し、これら分配用光ファイバのそれぞれを端末（１９）まで布線した光伝送システム（１０）における光配線方法において、
前記カプラ収納部に、分岐数の異なる複数種類の局側光カプラを収納するとともに、前記局側光カプラを介して一の伝送装置に光接続される分配用光カプラの分岐数を、該分配用光カプラと光接続される局側光カプラの分岐数に応じて、異なる数とすることを特徴とする光配線方法。
【請求項２】
伝送装置（１）に光接続された装置側光ファイバ（３）を、カプラ収納部（４）に収納された局側光カプラ（５）を介して複数本の外線側光ファイバ（６）に分岐し、これら外線側光ファイバのそれぞれを、光接続箱（１６）に収納された分配用光カプラ（７）まで布線して、該分配用光カプラによって複数本の分配用光ファイバ（１７）に分岐し、これら分配用光ファイバのそれぞれを端末（１９）まで布線した光伝送システムにおいて、
前記カプラ収納部に、分岐数の異なる複数種類の局側光カプラが収納されているとともに、前記局側光カプラを介して一の伝送装置に光接続される分配用光カプラの分岐数が、該分配用光カプラと光接続された局側光カプラの分岐数に応じて、異なる数となっていることを特徴とする光伝送システム（１０）。
【請求項３】
伝送装置（１）に光接続された装置側光ファイバ（３）を、カプラ収納部（４）に収納された局側光カプラ（５）を介して複数本の外線側光ファイバ（６）に分岐し、これら外線側光ファイバのそれぞれを、光接続箱（１６）に収納された分配用光カプラ（７）まで布線して、該分配用光カプラによって複数本の分配用光ファイバ（１７）に分岐し、これら分配用光ファイバのそれぞれを端末（１９）まで布線した光伝送システム（１０）に用いられ、前記カプラ収納部を具備する光配線装置において、
前記局側光カプラの１個または複数個が、ケース（７１）に収容されてカプラモジュール（７０，７０Ｂ，７０Ｆ）を構成しているとともに、前記カプラ収納部が、前記局側光カプラの分岐数が異なる複数種類のカプラモジュールを収納可能になっていることを特徴とする光配線装置（２）。
【発明の詳細な説明】
【０００１】
【発明の属する技術分野】
本発明は、局内に設置された伝送装置と、ユーザ等の端末との間に配線された光ファイバを介して光伝送を行う光配線方法、光伝送システムおよび光配線装置に関する。
【０００２】
【従来の技術】
従来、伝送装置を備えた局（中継局）とユーザとの間の伝送路として光ファイバを配線する光伝送システムとしては、伝送装置として、各ユーザの端末と対応させて設けられたメディアコンバータ（ＭＣ：Ｍｅｄｉａ  Ｃｏｎｖｅｒｔｅｒ）を用い、ＭＣと端末の間を分岐のない光ファイバにより１：１で対応させて接続する方式（いわゆるＳＳ方式。ＳＳ：Ｓｉｎｇｌｅ  Ｓｔａｒ）や、伝送装置側の１本の光ファイバとユーザの端末側の複数の伝送路との間に光カプラを介在させ、該光カプラによって伝送装置側の光ファイバ（装置側光ファイバ）を分岐して複数のユーザで共用できるようにした方式（いわゆるＰＤＳ方式。ＰＤＳ：Ｐａｓｓｉｖｅ  Ｄｏｕｂｌｅ  Ｓｔａｒ）などがある。
【０００３】
ＳＳ方式の場合、伝送装置とユーザの端末との間に、ユーザ数と同数の伝送路を配線する必要があるので、伝送装置の個数が増大して局内での設置面積を広く確保せねばならず、しかも、伝送路の本数が増大して配線や維持等に要するコストの点で不満があった。これに対して、ＰＤＳ方式の場合、一の伝送装置を複数のユーザで共用するようにしたので、伝送装置と光カプラとの間の装置側光ファイバの心数が少なくて済み、伝送装置を小型化および高密度化できる上、伝送装置から端末までの伝送路が、光ファイバや光カプラなど、稼動に電源などのエネルギーを要しない受動素子のみで構築できるので、配線や維持等に要するコストを低減できるという利点がある。ＰＤＳ方式で構築された光伝送システムの場合、光カプラは、局内に設置したカプラ収納部を有する光配線盤に収納することもあり、伝送路の途中に設置した光クロージャなどの光接続箱に収納することもある（例えば特許文献１参照）。
【０００４】
【特許文献１】
特許第３００７０７４号公報
【０００５】
【発明が解決しようとする課題】
光伝送システムの構築に際しては、ユーザの増加に合わせて所要の伝送路を増設する必要がある。光カプラとしては、例えば３２分岐のものが使用されるが、伝送装置を例えば１台増設したときに、必ずしも３２回線を増設するとは限らず、開通が不要な回線は、光コネクタ等で成端して、今後の回線増加に備えて保留しておく（保留回線）こともある。光カプラを局内に設置した場合、保留回線の開通などの配線作業を局内で実施できるが、局内に引き込まれる光ファイバの本数が保留回線の分も含めて多くなり、局内に光ファイバを配線するためのスペースが、ユーザの増加数に比べて過剰に必要になり、経済性が悪い。
これに対して、光カプラを局外の光接続箱に設置した場合、局内に引き込まれる光ファイバの本数は少なくできるが、伝送装置側の１本の光ファイバが複数のユーザに共用されるので、すでに当該伝送装置を利用しているユーザとの接続を断絶することなく、保留回線を開通させて伝送装置を利用するユーザ数を途中で増やすためには、保留回線の開通などの配線作業を屋外で行わねばならず、手間がかかって非効率である。
【０００６】
従って、本発明の課題は、ユーザ数の増加に対応して、光ファイバを効率的かつ経済的に増設することが可能な光配線方法、光伝送システムおよび光配線装置を提供することにある。
【０００７】
【課題を解決するための手段】
前記課題を解決するため、本発明は、伝送装置に光接続された装置側光ファイバを、カプラ収納部に収納された局側光カプラを介して複数本の外線側光ファイバに分岐し、これら外線側光ファイバのそれぞれを、光接続箱に収納された分配用光カプラまで布線して、該分配用光カプラによって複数本の分配用光ファイバに分岐し、これら分配用光ファイバのそれぞれを端末まで布線した光伝送システムにおける光配線方法において、
前記カプラ収納部に、分岐数の異なる複数種類の局側光カプラを収納するとともに、前記局側光カプラを介して一の伝送装置に光接続される分配用光カプラの分岐数を、該分配用光カプラと光接続される局側光カプラの分岐数に応じて、異なる数とすることを特徴とする光配線方法を提供する。
【０００８】
また、本発明は、伝送装置に光接続された装置側光ファイバを、カプラ収納部に収納された局側光カプラを介して複数本の外線側光ファイバに分岐し、これら外線側光ファイバのそれぞれを、光接続箱に収納された分配用光カプラまで布線して、該分配用光カプラによって複数本の分配用光ファイバに分岐し、これら分配用光ファイバのそれぞれを端末まで布線した光伝送システムにおいて、
前記カプラ収納部に、分岐数の異なる複数種類の局側光カプラが収納されているとともに、前記局側光カプラを介して一の伝送装置に光接続される分配用光カプラの分岐数が、該分配用光カプラと光接続された局側光カプラの分岐数に応じて、異なる数となっていることを特徴とする光伝送システムを提供する。
【０００９】
さらに本発明は、伝送装置に光接続された装置側光ファイバを、カプラ収納部に収納された局側光カプラを介して複数本の外線側光ファイバに分岐し、これら外線側光ファイバのそれぞれを、光接続箱に収納された分配用光カプラまで布線して、該分配用光カプラによって複数本の分配用光ファイバに分岐し、これら分配用光ファイバのそれぞれを端末まで布線した光伝送システムに用いられ、前記カプラ収納部を具備する光配線装置において、
前記局側光カプラの１個または複数個が、ケースに収容されてカプラモジュールを構成しているとともに、前記カプラ収納部が、前記局側光カプラの分岐数が異なる複数種類のカプラモジュールを収納可能になっていることを特徴とする光配線装置を提供する。
【００１０】
【発明の実施の形態】
以下、実施の形態に基づいて、本発明を詳しく説明する。
図１は、本発明の光伝送システムの一例を示す図である。また、図２は、本発明の光配線方法によって光伝送システムの回線を増設する方法を説明する模式図である。
【００１１】
図１に示す光伝送システム１０において、符号１１は、ネットワークＮとの光通信を中継する中継局である。中継局１１には伝送装置１が配置されており、該伝送装置１によって、中継局１１とユーザ等の端末１９（ユーザ等の加入者）との間で光伝送を行うようになっている。
中継局１１と端末１９との間には、配線の分岐や切替などを行うための光配線盤などの光配線装置２が設置された端局１３が設けられている。中継局１１と端局１３との間には、光ファイバケーブル１２（以下、光ファイバケーブルを光ケーブルと略記する）が布設されている。この光ケーブル１２の光ファイバによって、伝送装置１と光配線装置２とが光接続されている。
【００１２】
光配線装置２から端末１９に向けて、外線用の光ケーブル１４が１本またはそれ以上、布設されている。光ケーブル１４の途中や末端には、光クロージャ等の光接続箱１６が設けられている。光接続箱１６内に引き通された光ケーブル１４は、該光ケーブル１４の側面から、一部または全部の光ファイバが引き出されて（後分岐）され、分配用光ファイバ１７に接続される。分配用光ファイバ１７は、光接続箱１６と端末１９との間を光接続している。
端末１９は通常、多数が広範囲にわたって散在しているので、端末１９のある地域を一定の範囲で区画して管理するようにしている。本発明では、端末１９のある地域の区画された範囲をセル１８と呼ぶことにする。それぞれのセル１８には、少なくとも１個の光接続箱１６が割り当てられる。
なお、人口が多い地域などで、端末１９の数が極めて多い場合には、端局１３と光接続箱１６との間に、さらに端局１５が設けられることがある。
【００１３】
上述のような光伝送システム１０において、光ファイバや光ケーブルなどの光伝送路を配線する際、本発明の光配線方法では、図２に示すように、中継局１１または端局１３，１５に設置される伝送装置１や光配線装置２等の装置に付随して、光カプラ５を収納可能なカプラ収納部４を設け、伝送装置１と光カプラ５とを光ファイバ３（装置側光ファイバ）によって光接続する。また、光接続箱１６には分配用の光カプラ７（分配用光カプラ）を収納する。そして、装置側光ファイバ３を、光カプラ５を介して複数本の外線側光ファイバ６に分岐し、これら外線側光ファイバ６のそれぞれを分配用光カプラ７まで布線して、該分配用光カプラ７によって複数本の分配用光ファイバ１７に分岐し、これら分配用光ファイバ１７をそれぞれの端末１９まで布線する。外線側光ファイバ６としては、例えば外線側の光ケーブル１４に収容された光ファイバを用いることができる。
【００１４】
ＰＤＳ方式の伝送装置では、一の伝送装置１で処理できる回線数は、最大３２回線である。なお、ここでいう伝送装置の最大処理回線数は、特に本発明を限定するものではなく、最大回線数が８回線、１６回線、６４回線など、他の数であっても、本発明を適用することが可能である。
本発明において、カプラ収納部４に、分岐数の異なる複数種類の局側光カプラ５を収納し、前記局側光カプラ５を介して一の伝送装置１に光接続される分配用光カプラ７の分岐数を、該分配用光カプラ７と光接続される局側光カプラ５の分岐数に応じて、異なる数とする。例えば、一の局側光カプラ５と接続される分配用光カプラ７の分岐数がすべて等しい場合には、局側光カプラ５の分岐数と、分配用光カプラ７の分岐数との積が、一の伝送装置１に光接続される回線数に等しくなるから、この回線数が、一の伝送装置１で処理できる最大回線数を超えないようにする。
【００１５】
具体的に説明すれば、図２（ａ）に示すように、一回の増設工事で増設される回線が少なく、増設すべき回線が接続される端末１９が多数のセル１８に散らばっている場合、分配用光カプラ７の分岐数を少なく（例えば２分岐や４分岐など）し、代わりに、局側光カプラ５の分岐数を多くする（例えば１６分岐や８分岐など）。この場合、一つの伝送装置１を、多数のセル１８で共有することができ、増設される回線が少ないときでも、回線を効率よく利用することができる。
さらに、図２（ａ）の状態から図２（ｂ）に示す状態になるように、端末１９の数が多く、比較的少数のセル１８だけで、増設すべき端末１９の数が十分に多い場合、分配用光カプラ７の分岐数を多く（例えば１６分岐や８分岐など）し、代わりに、局側光カプラ５の分岐数を少なくする（例えば２分岐や４分岐など）。この場合、一つの伝送装置１を共有するセル１８の個数は少なくなるが、セル１８当たりの回線数を多くすることができ、端末１９の増加に対応した回線を確保できる。
【００１６】
もし、一回の増設工事で増設が必要な端末数（増設すべき回線数）が、伝送装置の最大処理回線数に等しいか或いはその倍数である場合、増設する伝送装置１の個数を、増加する回線数を伝送装置の最大処理回線数で割った商に等しくすることにより、増設した伝送装置の処理能力を最大限に活用することができることになる。もちろん、増設すべき回線数が伝送装置の最大処理回線数の倍数（１倍を含む）になるとは限らないが、その場合でも、増設すべき回線数を伝送装置の最大処理回線数で割った商を繰上げにより整数値として求めれば、その数が増設すべき伝送装置の最小個数になる。従って、なるべく最小個数の伝送装置を増設するようにすると、伝送装置の費用などを削減できるから経済的である。
増設作業により増加しうる回線数は、伝送装置の最大処理回線数と増設した伝送装置の個数との積に等しい。増加しうる回線数と、増設すべき回線数との差は、余りとなるが、このような回線は、周知の光コネクタなどで成端して保留しておき、必要なときに光コネクタや融着接続などを介して、回線を開通できるようにしておくと、回線の無駄を抑制することができ、好ましい。
【００１７】
上述の光配線方法において、局側光カプラ５は、中継局１１に設置してもよく、また、端局１３，１５に設置してもよい。
局側光カプラ５を端局１３に設置すると、伝送装置１と局側光カプラ５との間に布線される装置側光ファイバ３の本数は、分岐前の少ない本数であるため、中継局１１と端局１３の間に布設される連絡用光ケーブル１２の心数を低減することができる。また、局側光カプラ５によって分岐された外線側光ファイバ６の配線切替を端局１３で行うことができるので、中継局１１で行うべき配線作業を少なくし又は省略して、主な作業あるいはすべての作業を端局１３で行うことができるので、作業者が中継局１１と端局１３とを行き来する手間が省け、能率が向上する。しかも、伝送装置１の入出力端（後述の伝送装置３１の入出力端３１ａ等）と１対１で対応した装置側光ファイバ３が、端局１３まで引き込まれることにより、回線の照合も容易となる。
これに対して、局側光カプラ５を中継局１１に設置する利点としては、例えば端局１３，１５が既存の施設を利用した場合などで、新たに利用できる空きの床面積が十分には広くない場合、局側光カプラ５を収納するカプラ収納部４を備えた伝送装置１や光配線装置２を中継局１１に設置することにより、端局１３，１５に必要な床面積を少なくし、伝送装置１や光配線装置２の設置に必要な床面積の確保が容易になることが挙げられる。
【００１８】
以下、中継局１１および端局１３における伝送装置１から外線用光ケーブル１４までの間の光配線の構成を具体的に説明する。
図３は、中継局１１と端局１３における光配線構成の一例を示す概略図である。この配線例では、中継局１１に伝送装置を収納したラック４０が設置され、端局１３には光配線装置２が設置され、中継局１１と端局１３との間には連絡用光ケーブル１２が布設されている。ラック４０は、ＳＳ方式の伝送装置３１（メディアコンバータなど）と、ＰＤＳ方式の伝送装置２１とを備えている。
【００１９】
伝送装置２１は、両端に光コネクタ２２ａ，２２ｂ（光コネクタプラグ）が取り付けられた光ファイバコード２２によって、カプラユニット２３と接続されている。このカプラユニット２３は、１入力多出力の光カプラである局側光カプラ５と、局側光カプラ５の入力端子に一端が接続された光ファイバ２３ｂと、光ファイバ２３ｂの局側光カプラ５と反対側の他端がコネクタ接続された光コネクタアダプタ２３ａと、局側光カプラ５の各出力端子に接続された光ファイバ２３ｃと、光ファイバ２３ｃの局側光カプラ５と反対側の他端がコネクタ接続された光コネクタアダプタ２３ｄとを有している。
【００２０】
光ファイバコード２２は、一方の光コネクタ２２ａが伝送装置２１の入出力端２１ａにコネクタ接続され、他方の光コネクタ２２ｂがカプラユニット２３の上流側（伝送装置側）の光コネクタアダプタ２３ａにコネクタ接続されることにより、伝送装置２１と局側光カプラ５とを光接続する。
光コネクタとしては、ＪＩＳ  Ｃ  ５９７３などに規定されたＳＣ形光コネクタ（ＳＣ：Ｓｉｎｇｌｅ  ｆｉｂｅｒ  Ｃｏｕｐｌｉｎｇ）や、ＪＩＳ  Ｃ  ５９８３などに規定されたＭＵ形光コネクタ（ＭＵ：Ｍｉｎｉａｔｕｒｅ−Ｕｎｉｔ  ｃｏｕｐｌｉｎｇ）、いわゆるＳＣ２形光コネクタなどの光コネクタプラグおよび光コネクタアダプタが採用できる。
【００２１】
カプラユニット２３の下流側の光コネクタアダプタ２３ｄには、ファンアウトコード２４の光コネクタ２４ａがコネクタ接続されている。なお、ファンアウトコードとは、多心光ファイバから個々の単心光ファイバに単心分離され、各単心光ファイバの先端に光コネクタプラグが取り付けられた光ファイバコードである。ファンアウトコード２４の多心光ファイバ側は、連絡用光ケーブル１２の伝送装置側の端１２ａに露出された連絡用光ファイバ１２ｃと融着接続され、その融着部２５（融着接続された箇所）は、ケースやカード状の収納部である融着ユニット４１に収納されている。
【００２２】
伝送装置３１の入出力端３１ａには、ファンアウトコード３２の光コネクタ３２ａがコネクタ接続されている。ファンアウトコード３２の多心光ファイバ側は、連絡用光ケーブル１２の伝送装置側の端１２ａに露出された他の連絡用光ファイバ１２ｄと融着接続され、該融着部３３は、前記融着ユニット４１に収納されている。
【００２３】
連絡用光ケーブル１２の伝送装置側と反対側の端１２ｂは、光配線装置２に引き込まれている。光配線装置２は、光伝送路の配線切替を行うための成端ユニット４２を備えている。成端ユニット４２は、ケース内にファンアウト心線４３を収容し、ファンアウト心線４３の単心分離された側を光コネクタ４３ａでコネクタ成端して、該光コネクタ４３ａを光コネクタアダプタ４２ａと接続したユニットである。前記連絡用光ファイバ１２ｃ，１２ｄの他端は、前記光ケーブル１２の端１２ｂに露出され、ファンアウト心線４３の多心光ファイバの端と融着接続されている。この融着部４４は、融着ユニット４１内に収納されている。
成端ユニット４２の光コネクタアダプタ４２ａには、ファンアウトファイバ４５（ファンアウトコードまたはファンアウト心線）の光コネクタ４５ａがコネクタ接続されている。ファンアウトファイバ４５の多心光ファイバ側は、外線用光ケーブル１４の一端に露出された光ファイバ１４ａと融着接続され、その融着部４７は、融着ユニット４６に収納されている。
【００２４】
上記配線例においては、局側光カプラ５と光接続される伝送装置１は、伝送装置２１であり、局側光カプラ５を収納したカプラ収納部４は、カプラユニット２３であり、伝送装置１とカプラ収納部４とを光接続する装置側光ファイバ３は、光ファイバコード２２および光ファイバ２３ｂであり、外線側光ファイバ６は、光ファイバ２３ｃ、ファンアウトコード２４、連絡用光ファイバ１２ｃ、ファンアウト心線４３、ファンアウトファイバ４５、および外線用光ケーブル１４の光ファイバ１４ａである。
【００２５】
このような配線例によれば、伝送装置２１と接続された回線の配線切替も、伝送装置３１と接続された回線の配線切替も、端局１３側の成端ユニット４２によって行うことができる。外線ケーブル１４の光ファイバ１４ａをファンアウトファイバ４５と融着接続して光コネクタ４５ａによってコネクタ成端しておけば、上述したように、増設により余りとなった回線を成端ユニット４２の光コネクタアダプタ４２ａとコネクタ接続することなく保留しておき、必要なときに回線を開通できるようになる。保留された回線は、ファンアウトファイバ４５を光配線装置２内またはその近傍の適当な箇所に引き出して保管しておくとよい。
【００２６】
図４は、中継局１１と端局１３における光配線構成の第２例を示す概略図である。図４において、図１〜図３と同一の符号は、図１〜図３に示す構成と同様のものであることを示し、重複する説明を省略する。
この配線例では、カプラユニット２３は、端局１３に設置された光配線装置２に収容されている。また、外線用光ケーブル１４の光ファイバ１４ａを他の光ファイバと融着接続した融着部４７，４８を収納する融着ユニット４６は、光配線装置２と隣接または近接した融着架４９に収容されている。
【００２７】
伝送装置２１は、一端に光コネクタ２６ａ（光コネクタプラグ）が取り付けられた光ファイバコード２６によって、連絡用光ケーブル１２と接続されている。すなわち、光ファイバコード２６の光コネクタ２６ａが伝送装置２１の入出力端２１ａにコネクタ接続されるとともに、他端が連絡用光ケーブル１２の伝送装置側の端１２ａに露出された連絡用光ファイバ１２ｃと融着接続されている。光ファイバコード２６と連絡用光ファイバ１２ｃとの融着部２７は、融着ユニット４１に収納されている。
【００２８】
連絡用光ファイバ１２ｃは、光ケーブル１２によって、端局１３側の光配線装置２に引き込まれ、さらにカプラユニット２３内の局側光カプラ５の伝送装置１側の光ファイバ２３ｂと融着接続されている。連絡用光ファイバ１２ｃと光ファイバ２３ｂとの融着部２３ｅはカプラユニット２３内に収納されている。
カプラユニット２３の下流側の光コネクタアダプタ２３ａには、ファンアウトファイバ４５の光コネクタ４５ａがコネクタ接続されている。ファンアウトファイバ４５は光配線装置２と融着架４９とを渡して配線されている。ファンアウトファイバ４５の多心光ファイバ側は、外線用光ケーブル１４の一端に露出された光ファイバ１４ａと融着接続され、その融着部４７は、融着ユニット４６に収納されている。
【００２９】
ＳＳ方式の伝送装置３１と外線用光ケーブル１４の光ファイバ１４ａとの光接続は、連絡用光ファイバ１２ｃや成端ユニット４２内のファンアウト心線４３などを介して、図３に示す配線と同様に行うことができる。
なお、成端ユニット４２を介した配線切替が不要である場合には、連絡用光ケーブル１２を、ラック４０から直接、融着架４９に引き込み、該連絡用光ケーブル１２の光ファイバ１２ｅを介して、ファンアウトコード３２と外線用光ケーブル１４の光ファイバ１４ａとを接続するようにすることもできる。この場合、コネクタ接続の代わりに融着接続で済むので、伝送損失を低減することができる。光ファイバ１２ｅとファンアウトコード３２の多心光ファイバ側との融着部３４は、ラック４０内の融着ユニット４１に収納し、光ファイバ１２ｅの他端と外線用光ケーブル１４の光ファイバ１４ａとの融着部４８は、融着架４９内の融着ユニット４６に収納することができる。
【００３０】
このように、図４に示す配線例では、伝送装置２１と接続された回線の配線切替も、伝送装置３１と接続された回線の配線切替も、端局１３側の成端ユニット４２によって行うことができる。しかも、伝送装置２１から外線用光ケーブル１４の光ファイバ１４ａまでのコネクタ接続の数が、図３に示す配線例よりも少なくすむため、伝送装置２１と接続された光伝送路の伝送損失を低減することができる。
【００３１】
図５は、中継局１１と端局１３における光配線構成の第３例を示す概略図である。図５において、図１〜図４と同一の符号は、図１〜図４に示す構成と同様のものであることを示し、重複する説明を省略する。
この配線例では、カプラユニット２３と成端ユニット４２を備えた光配線装置２は、中継局１１に、伝送装置２１，３１を備えたラック４０と隣接または近接して設置されている。そして、端局１３には、外線用光ケーブル１４の光ファイバ１４ａを他の光ファイバと融着接続した融着部を収納する融着ユニット５３ａ，５３ｂを備えた融着架５４が設置されている。
【００３２】
伝送装置２１は、一端に光コネクタ２６ａ（光コネクタプラグ）が取り付けられた光ファイバコード２６によって、局側光カプラ５の光ファイバ２３ｂと融着接続されている。光ファイバコード２６と光ファイバ２３ｂとの融着部２３ｆは、カプラユニット２３内に収納されている。
カプラユニット２３の下流側の光コネクタアダプタ２３ａには、ジャンパコード５０の一端の光コネクタ５０ａがコネクタ接続されており、該ジャンパコード５０の他端の光コネクタ５０ｂは、成端ユニット４２の光コネクタアダプタ４２ａにコネクタ接続されている。
また、伝送装置３１の入出力端３１ａには、ジャンパコード３５の一端の光コネクタ３５ａがコネクタ接続されており、該ジャンパコード３５の他端の光コネクタ３５ｂは、成端ユニット４２の光コネクタアダプタ４２ａにコネクタ接続されている。
ここで、ジャンパコード３５，５０とは、両端に光コネクタが取り付けられて成端された単心の光ファイバコードである。光コネクタとしては、ＳＣ形光コネクタやＭＵ形光コネクタ、ＳＣ２形光コネクタなどが採用できる。
【００３３】
連絡用ケーブル１２の光ファイバ１２ｆは、成端ユニット４２に収納されたファンアウト心線４３の多心側に融着接続され、この融着部５１は、成端ユニット４２に収納されている。連絡用光ファイバ１２ｆは、中継局１１と端局１３との間に布線された光ケーブル１２によって、端局１３側の融着架５４に引き込まれ、融着架５４内に備えられた接続用の光ファイバ５２と融着部５２ａにより融着接続されている。接続用の光ファイバ５２の融着部５２ａと反対側の他端は、外線用光ケーブル１４の一端に露出された光ファイバ１４ａと融着部５２ｂによって融着接続されている。融着部５２ａ，５２ｂは、それぞれ融着架５４内の融着ユニット５３ａ，５３ｂに収納されている。
図５に示す配線例によれば、端局１３側に設置する装置が融着架５４のみでよいので、設置面積が少なくて済み、端局１３の空き面積が少ない場合にも対応できる。
【００３４】
図６は、中継局１１、端局１３、および端局１５における光配線構成の第４例を示す概略図である。図５において、図１〜図３と同一の符号は、図１〜図３に示す構成と同様のものであることを示し、重複する説明を省略する。
この配線例は、図１に示すように、端局１３と端末１９との間に、さらに他の端局１５が設置されている場合に用いられる光配線の一例である。
【００３５】
この配線例では、端局１３，１５のそれぞれに成端ユニット４２と融着ユニット４６を有する光配線装置２が設置されており、端局１３，１５間には外線用光ケーブル１４が布設されている。端局１３，１５間の外線用光ケーブル１４の光ファイバ１４ｂは、図３に示す配線例と同様の手法により、融着接続やコネクタ接続によって、伝送装置２１，３１と端末１９との間を光接続する役割を担っている。
また、下流側の端局１５においては、端局１３，１５間の外線用光ケーブル１４の光ファイバ１４ｂと、端末１９に向かう外線用光ケーブル１４の光ファイバ１４ａとを、直接融着接続してもよい。端局１５における配線切替が不要の場合、コネクタ接続の代わりに融着接続を行うことによって、伝送損失を低減することができる。
【００３６】
次に、上記カプラユニット２３および成端ユニット４２の構成の具体例を説明する。図７は、モジュール収納棚の一例を示す斜視図である。
図８は、カプラモジュールの第１の実施の形態の構成例を示す（ａ）正面図、および（ｂ）側面図である。図９は、図８のカプラモジュールの（ａ）蓋を開けた状態を示す正面図、（ｂ）ケース全体の断面図、および（ｃ）蓋の正面図である。図１０は、図８のカプラモジュール内の配線例を示す図である。
図１１は、カプラモジュールの第２の実施の形態の構成例を示す（ａ）正面図、および（ｂ）側面図である。図１２は、図１１のカプラモジュールの（ａ）蓋を開けた状態を示す正面図、（ｂ）プレートを省略した状態を示す図、および（ｃ）全体の断面図である。
図１３は、カプラモジュールの改変例および成端モジュールの一例を示す（ａ）正面図、および（ｂ）側面図である。
図１４は、図１３に示す成端モジュールの（ａ）蓋を開けた状態を示す正面図、（ｂ）プレートを省略した状態を示す図、および（ｃ）全体の断面図である。
図１５は、モジュールの融着部収納部を示す（ａ）端面図、および（ｂ）正面図である。図１６は、モジュールの融着部収納部の改変例を示す（ａ）端面図、および（ｂ）正面図である。
図１７は、モジュール収納棚における光ファイバの配線例を示す正面図である。図１８は、モジュール収納棚の他の例を示す斜視図である。
【００３７】
図７に示すモジュール収納棚６０（シャーシ）は、背板６２を介してつながった両側板６１，６１と、操作側の前面（図７の左下側）を除く三方にて前記背板６２および側板６１，６１と連結された天板６３および底板６４と、天板６３と底板６４との間に架設された棚板６５とにより、３段の棚として構成されている。それぞれの板としては、例えば、ステンレス板や鋼板などの適宜の材料を折り曲げ成形したものを用いることができる。
【００３８】
側板６１の前面側の端縁部６１ａは、互いに他方の側板６１の側と反対側である外方に折り曲げられている。この端縁部６１ａには、モジュール収納棚６０をラック等にボルトやナットなどで取り付けるための取付溝６１ｂが刻設されている。
棚板６５と天板６３の間は、カプラモジュール７０を収納するためのモジュール収納領域６６となっている。カプラモジュール７０を棚板６５上に固定するため、棚板６５の前縁部６５ａには、所定の間隔で取付穴６５ｂ（ネジ穴）が穿設されており、また、背板６２には、嵌合用のスリット６２ａが設けられている。
【００３９】
天板６３上は、カプラモジュール７０に引き込まれる伝送装置１側の光ファイバ６７を配線するための配線領域となっている。天板６３の前面の両側には、光ファイバ６７を挟み込んで保持するためのクリップ６３ｂが取り付けられている。背板６２と両側の側板６１，６１とは一枚板となっており、その上部が天板６３上に突出して、上枠部６３ａとなっている。上枠部６３ａの両側部（側板６１の延長部）には、天板６３上に配線された光ファイバ６７が上枠部６３ａからはみ出すことを抑制するため、突片部６３ｃが配線領域の内方に向かって突出形成されている。
【００４０】
光ファイバ６７は、詳しくは後述するが、光コネクタ６７ａによって成端されてカプラモジュール７０の光コネクタアダプタ７４にコネクタ接続される（例えば図８〜図１０に示す第１の実施の形態）か、または、光ファイバ挿入口となる切欠き溝７１ｂからカプラモジュール内に引き込まれて光ファイバ７９ａと融着接続される（例えば図１１，図１２に示す第２の実施の形態）ことにより、カプラモジュール内に収納された光カプラ７８の伝送装置側の光ファイバ７９ａと光接続される。
【００４１】
光ファイバ６８は、カプラモジュール７０から端末１９側に向かう光ファイバである。光ファイバ６８は、光コネクタ６８ａによりコネクタ成端され、底板６４上に湾曲して余長が吸収された状態で配線される。底板６４の前面の両側には、光ファイバ６８を押さえ込んで保持するための押さえ部材６４ａが取り付けられている。
【００４２】
第１の実施の形態に係るカプラモジュール７０は、概略、図８，図９に示すように、矩形薄板状のケース７１の前面部７１ａ（図８の左側）に光コネクタアダプタ７４が取り付けられた構成となっている。
光コネクタアダプタ７４は、これと光接続される光コネクタプラグ（光コネクタ６８ａ，７９ｄ等）を両側から挿入することにより、光コネクタプラグの対を相互に位置決めして固定する中継部品である。ここでは、光コネクタアダプタ７４として、光コネクタプラグの対を位置決めする接続部７４ａ（光プラグ挿入穴）を複数有した多連の光コネクタアダプタが用いられている。もちろん、複数の光コネクタアダプタをケース７１に取り付けてもよく、また、同じケース７１に取り付けられる光コネクタアダプタの接続部の数は揃えてもよく、揃えなくてもよい。光コネクタアダプタとしては、ＳＣ形光コネクタやＭＵ形光コネクタ、ＳＣ２形光コネクタなどの光コネクタアダプタが採用できる。
光コネクタプラグが挿入されていない空きの接続部７４ａには、該接続部７４ａの汚れなどを抑制するため、キャップ６９（栓）などで塞いでおくとよい。
【００４３】
ケース７１は、底面部７２ｂと該底面部７２ｂの四方を取り囲むような形状の側面部７２ａとを有し、底面部７２ｂの反対側（図７の紙面手前側）に開口したケース本体７２と、このケース本体７２の開口部７２ｃを覆う蓋７３とを有し、それぞれステンレスや鋼板などの板状材料から構成されている。ケース７１の前面部７１ａは、ケース本体７２の側面部７２ａの一面である。
【００４４】
ケース７１内には光カプラ７８が設けられており、光カプラ７８は光ファイバ７９ａ，７９ｂと接続されている。
なお、図８〜図１０の記載と、図３〜図６の記載との対応をつけるのであれば、光カプラ７８は、局側光カプラ５として用い得るものである。また、光ファイバ７９ａは、局側光カプラ５よりも伝送装置１に近い側の光ファイバ２３ｂである。光ファイバ７９ｂは、局側光カプラ５よりも端末１９に近い側に配線された光ファイバ２３ｃである。
光ファイバ６７は、図３の符号２２、図４の符号１２ｃ、図５の符号２６、図６の符号２２などでありうる。光ファイバ６８は、図３の符号２４、図４の符号４５、図５の符号５０、図６の符号２４などでありうる。
【００４５】
ケース本体７２の側面部７２ａには、前面部７１ａ寄りの位置に内方に突出した嵌合片７２ｄが形成されている。また、ケース本体７２の底面部７２ｂには、開口部７２ｃに向かって立設されたネジ穴付きのボス７２ｅが設けられている。
蓋７３には、ケース本体７２の嵌合片７２ｄに対応する位置に、部分的に段をなして屈曲された凹陥部７３ａが形成されている。この凹陥部７３ａは、蓋７３をケース本体７２の開口部７２ｃにあてがったときに、蓋７３が嵌合片７２ｄの下をくぐって差し入れられるようにしたものである。また、蓋７３にはケース本体７２のボス７２ｅに対応する位置に穴７３ｂが形成されている。この穴７３ｂにネジ７１ｃを通してボス７２ｅのネジ穴に締め付けることにより、ケース本体７２と蓋７３とが一体化される。
【００４６】
ケース７１の前面部７１ａの一端（図９（ａ）の下側）には取付穴７１ｅを有して突出した取付部７１ｄが形成されている。また、蓋７３の前面側と反対の背面側（図９（ｃ）の右側）には、モジュール収納棚６０のスリット６２ａに差し込むための差込片７３ｃが突設されている。
図７に示すように、モジュール７０は、差込片７３ｃを、モジュール収納棚６０の背板６２のスリット６２ａに差し込み、取付部７１ｄを棚板６５の前縁部６５ａに当接させて、取付穴６５ｂ，７１ｅ同士を位置合わせしてネジ７１ｆで締めることにより、棚板６５上のモジュール収納領域６６にしっかりと固定される。
【００４７】
図９に示すように、ケース本体７２の底面部７２ｂ内側には、円形状の光ファイバガイド７５と、半円形状の光ファイバガイド７６とが接着剤などにより取り付けられている。これら光ファイバガイド７５，７６は、スポンジなどの柔軟材からなる。
一方の光ファイバガイド７５は、ケース本体７２の底面部７２ｂと反対側の頂部７５ａに、舌片状の突片７５ｂが複数周設されている。該光ファイバガイド７５の側面７５ｃの周りに光ファイバ７９ａ，７９ｂを巻き回すことにより、該光ファイバ７９ａ，７９ｂは一定以上の曲げ半径を確保でき、また、突片７５ｂとケース本体７２の底面部７２ｂとの間で保持されて、蓋７３を開けたときでも、光ファイバ７９ａ，７９ｂが光ファイバガイド７５から予期せずに外れるおそれがない。
他方の光ファイバガイド７６の底面部７２ｂと反対側の頂部７６ａには、舌片状の突片７６ｂは、光コネクタアダプタ７４の側に設けられている。該光ファイバガイド７６の円弧状の側面７６ｃには、光ファイバは、光コネクタアダプタ７４側の約半周分だけ配置される。
【００４８】
両光ファイバガイド７５，７６の間には、舌片７７ａ，７７ｂ，７７ｃ，７７ｄを有するプラスチックシート７７が設けられている。プラスチックシート７７は、ＰＥＴなどの剛性のあるシート材である。舌片７７ａ，７７ｂ，７７ｃ，７７ｄは、該シート材の折り曲げにより、ケース本体７２の底面部７２ｂに敷かれたシート状の本体７７から立設されているとともに、舌片７７ａと７７ｂとの先端部同士、ならびに舌片７７ｃと７７ｄとの先端部同士が、互いに向かい合う方向に屈曲しており、光ファイバがケース本体７２の上方に出てこないように、抱え込む役割を果たしている。
【００４９】
ケース７１内での光ファイバ７９ａ，７９ｂの配線は、例えば、図９（ａ）に示すように、それぞれの先端に取り付けられた光コネクタ７９ｃ，７９ｄを、光コネクタアダプタ７４にケース７１の内側からコネクタ接続し、余長を光ファイバガイド７５の周りに巻き回すことにより行うことができる（例えば、図３，図６に示したカプラユニット２３内の光ファイバ２３ｂ，２３ｃに相当する）。
【００５０】
特に、光コネクタアダプタ７４として１０連のもの（一対の光コネクタプラグをコネクタ接続させる接続部を１０個有し、１０対の光コネクタプラグをコネクタ接続できる光コネクタアダプタ）を用いると、光カプラ７８の分岐数が異なるカプラモジュール７０を、共通のケース７１を用いて製造したときに、光コネクタアダプタ７４の空き（光ファイバ７９ａまたは７９ｂの接続に用いられない接続部）を少なくして使用できる。なお、図１０（ａ）〜（ｃ）に示す構成は一例であり、本発明を特に限定するものではない。
【００５１】
光カプラ７８の分岐数が８である場合には、図１０（ａ）に示すように、伝送装置側の光ファイバ７９ａを１本とし、端末側の光ファイバ７９ｂを８本とすれば、光コネクタアダプタ７４の空きは光コネクタ１個分となる。
また、光カプラ７８の分岐数が４である場合には、図１０（ｂ）に示すように、光カプラ７８を２個用い、伝送装置側の光ファイバ７９ａを２本とし、端末側の光ファイバ７９ｂを８本とすれば、光コネクタアダプタ７４の空きをなくすことができる。
また、光カプラ７８の分岐数が２である場合には、図１０（ｃ）に示すように、光カプラ７８を３個用い、伝送装置側の光ファイバ７９ａを３本とし、端末側の光ファイバ７９ｂを６本とすれば、光コネクタアダプタ７４の空きは光コネクタ１個分となる。
【００５２】
図１１，図１２に、カプラモジュールの第２の実施の形態を示す。このカプラモジュール７０Ｆは、図１２（ｃ）に示すように、ケース本体７２にトレー状のプレート８１が着脱可能に収納されており、このプレート８１の上下で２層の配線が可能に構成されている。また、ケース本体７２の前面部７１ａには、融着接続などのため、直接ケース７１内に差し入れられる光ファイバ６７を挿通するための光ファイバ挿入口７１ｂとして、切欠き溝が形成されている。光ファイバ挿入口７１ｂを通して導入される光ファイバ６７は、１本でも２本以上でもよい。
プレート８１は、ケース本体７２や蓋７３と同様、ステンレス（ＳＵＳ）や鋼板（ＳＰＣＣ等）などから形成したものを用いることができる。
【００５３】
図１２（ｂ）に示すように、本カプラモジュール７０Ｆにおいてプレート８１の下の層は、図８〜１０に示すカプラモジュール７０とほぼ同様に構成されている。ここでは、さらに、ネジ穴を有するボス８３が、光ファイバガイド７５に形成された穴を通して、ケース本体７２の底面部７２ｂから立設されており、ここに前記プレート８１をネジ８２締めして固着し、支持できるようになっている。
【００５４】
図１２（ａ）に示すように、プレート８１は、余長処理用配線部８１ａと、融着用配線部８１ｂと、覆い部８１ｃと、仕切り片８１ｄとを有しており、また、プレート８１とケース本体７２の一側面部７２ａとの間には、プレート８１の上下に渡る光ファイバ配線のための隙間８１ｅが形成されている。
【００５５】
余長処理用配線部８１ａには、円形状の光ファイバガイド８５と、該光ファイバガイド８５の両側に対向して配置された正面視略弓形の光ファイバガイド８６，８７とが接着剤などにより取り付けられている。これらの光ファイバガイド８５，８６，８７は、スポンジなどの柔軟な材料から構成するとよい。
これらの光ファイバガイド８５，８６，８７は、プレート８１下に配置される光ファイバガイド７５，７６と同様に、頂部８５ａ，８６ａ，８７ａに、舌片状の突片８５ｂ，８６ｂ，８７ｂが複数周設されている。
光ファイバガイド８５，８６，８７の円弧状の側面８５ｃ，８６ｃ，８７ｃの周りに光ファイバを巻き回すことにより、該光ファイバは一定以上の曲げ半径を確保して余長を処理することができる。また、光ファイバが、突片８５ｂ，８６ｂ，８７ｂとプレート８１との間で保持されるので、蓋７３を開けたときでも、光ファイバが光ファイバガイド８５，８６，８７から予期せずに外れるおそれがない。なお、さらに、配線後、蓋７３を閉める前に、光ファイバガイド８５，８６，８７や光ファイバなどを覆うように、ＰＥＴシート（ＰＥＴ：ポリエチレンテレフタレート）などの保護シート（図示せず）を被せておいてもよい。
【００５６】
プレート８１の融着用配線部８１ｂは、光ファイバ６７，７９ａ同士を融着した融着部９１を収容するための融着部収納部９０を有している。融着部収納部９０は、Ｕ字板９２と、Ｕ字板９２の長手方向（図１２（ａ）の左右方向）の両側に立設された２対のピン９３を有する。ピン９３には光ファイバの保護のため、エラストマー等のチューブ９４が被せられている。融着部収納部９０の詳細については後述する。
本実施の形態のカプラモジュール７０Ｆでは、融着用配線部８１ｂはカプラ７８の上方に位置しており、プレート８１は、融着用配線部８１ｂと余長処理用配線部８１ａとの間で折り曲げ成形されることによって、余長処理用配線部８１ａより若干、段が高くなっている。このため、カプラモジュール７０Ｆのケース７１が薄型であっても、カプラ７８の配置に必要な高さを十分に確保することができる。
【００５７】
覆い部８１ｃは、プレート８１の折り曲げにより、余長処理用配線部８１ａよりも高い段として、光コネクタアダプタ７４の側に形成されている。プレート８１をケース本体７２に収納したとき、該覆い部８１ｃは、光コネクタアダプタ７４に接続された光コネクタ７９ｄの後端側に露出されている光ファイバ７９ｂを上方で覆うようになっている。
【００５８】
仕切り片８１ｄは、ここでは、プレート８１の端部を切り欠き、折り曲げて立てたものであり、図示しないエラストマー等のチューブが被せられている。仕切り片８１ｄは、光ファイバガイド８５よりも切欠き溝７１ｂ（光ファイバ挿入口）の側と、プレート８１の隙間８１ｅの側との合計２箇所に形成されている。これにより、光ファイバガイド８５の周りに配線された光ファイバ６７，７９ａの余長（融着接続のための引き出し余長など）が配線される領域が、切欠き溝７１ｂから光ファイバガイド８５までの光ファイバ６７の配線領域ならびに光ファイバガイド８５からプレート８１の隙間８１ｅまでの光ファイバ７９ａの配線領域と仕切られる。
【００５９】
光ファイバ６７，７９ａ，７９ｂは、ケース７１内で、図１２（ａ），（ｂ）に示すように配線される。この配線作業は、例えば、以下の手順によって行うことができる。まず、光ファイバ７９ｂの先端に取り付けられた光コネクタ７９ｄを光コネクタアダプタ７４にコネクタ接続し、途中で光カプラ７８を経由し、余長を光ファイバガイド７５の周りに巻き回して、光ファイバ７９ａをプレート８１の隙間８１ｅから引き出す。さらにプレート８１上に引き出された光ファイバ７９ａを、ケース７１外から中に引き込まれる光ファイバ６７と融着接続し、光ファイバ６７，７９ａの融着部９１を融着部収納部９０に収納するとともに、光ファイバ６７，７９ａの余長を光ファイバガイド８５，８６，８７の周りに巻き回す。さらに、光ファイバ６７を光ファイバ挿入口７１ｂから引き出したのち、蓋７３をケース本体７２にネジ締めして閉める。
【００６０】
上述のカプラモジュール７０，７０Ｆでは、光ファイバアダプタ７４の個数は、１０連のものを１個としていたが、これは、特に本発明を限定するものではない。例えば、図１３に示すカプラモジュール７０Ｂのように、光コネクタアダプタ７４をケース７１の前面部７１ａに横並び（図１３（ａ）の左右方向）に複数（ここでは２個）備えた構成とすることができる。
本カプラモジュール７０Ｂのケース７１内の構成は、上述のカプラモジュール７０，７０Ｆと同様とすることができる。なお、光ファイバ挿入口となる切欠き溝７１ｂは、分岐前の光ファイバ６７を光コネクタアダプタ７４を介して光カプラ７８と光接続する場合には、省略できる。
【００６１】
ここでは光コネクタアダプタ７４は１０連のものであり、カプラモジュール７０Ｂは最大で２０回線を光接続できるようになっている。ケース７１の厚み（図１３（ａ）の左右方向の寸法）は、光コネクタアダプタ７４を１個有するカプラモジュール７０のほぼ倍である。正確には、モジュール収納棚６０にカプラモジュール７０を２個横並びに収納したときに、カプラモジュール７０，７０同士の隙間に相当するだけ、厚みが大きくなっている。つまり、カプラモジュール７０Ｂは、モジュール収納棚６０に収納されたときに、カプラモジュール７０のちょうど２個分の空間を使用するようになっている。
カプラモジュール７０Ｂをモジュール収納棚６０に固定するための取付部７１ｄの取付穴７１ｅの位置や差込片７３ｃの位置も、それぞれ、モジュール収納棚６０の棚板前縁部６５ａの取付穴６５ｂの位置や背板６２のスリット６２ａの位置に合わせられている。
このようなカプラモジュール７０Ｂは、例えば、光カプラ７８が１６分岐の場合などに好適である。もちろん分岐数が８以下の光カプラ７８であっても、光カプラ７８を複数収納することにより、光コネクタアダプタ７４の空きを少なくして使用できる。
【００６２】
図１３〜図１５に、モジュール収納棚６０を成端ユニット４２として用いるための成端モジュール８０の具体例を示す。図１３〜１５において、図７〜図１２と同一の符号は、図７〜図１２に示す構成と同様のものであることを示し、重複する説明を省略する。
この成端モジュール８０は、ケース７１内に、ファンアウト心線８９が収納されるとともに、該ファンアウト心線８９の多心光ファイバ側と、ケース７１外から中に引き込まれる他の光ファイバ８８とを融着接続した融着部９１を収納できる融着部収納部９０を備えて構成されている。ファンアウト心線８９の単心光ファイバ側の先端には、図１２（ｂ）に示すように光コネクタ８９ａが取り付けられており、これらの光コネクタ８９ａはそれぞれ光コネクタアダプタ７４の接続部７４ａに挿入されている。
【００６３】
成端モジュール８０は、光コネクタアダプタ７４のいずれかの接続部７４ａに、光コネクタ８９ａと反対側（成端モジュール８０の前面側、図１３（ｂ）の左側）から、光コネクタ８４ａで成端された光ファイバ８４をコネクタ接続することにより、光ファイバ８９と８４とを光接続することができるように構成されている。
なお、図１３〜１５の記載と、図３〜図６の記載との対応をつけるのであれば、成端モジュール８０内に収納されたファンアウト心線８９は、成端ユニット４２内に収納されたファンアウト心線４３でありうる。ファンアウト心線８９と融着接続される他の光ファイバ８８は、符号１２ｃ，１２ｄ，１２ｆの光ファイバでありうる。光ファイバ８４は、ファンアウトファイバ４５やジャンパコード３５，５０などでありうる。
【００６４】
成端モジュール８０において、ケース７１は、光カプラが収納されていないことを除いて、上述のカプラモジュールとほぼ同様の構成となっている。
例えば、ファンアウト心線８９として、４心の多心光ファイバを４本の単心光ファイバに分離するものを用いた場合、ファンアウト心線８９は１個のケース７１に最大で５組収納できる。もちろん、これは例示に過ぎず、光コネクタアダプタ７４やファンアウト心線８９等の構成は任意である。
【００６５】
ファンアウト心線８９の単心光ファイバ側の先端には、それぞれ光コネクタ８９ａが取り付けられている。これらの光コネクタ８９ａは、光コネクタアダプタ７４の接続部７４ａに挿入されることにより成端される。この光コネクタアダプタ７４の接続部７４ａに、光コネクタ８４ａで成端された他の光ファイバ８４を挿入することにより、ファンアウト心線８９の各単心光ファイバを、光ファイバ８４と光接続することができる。
ここでは、プラスチックシート７７は、舌片７７ａ，７７ｂ（図９（ａ）参照）の代わりに、ファンアウト心線８９の単心部の配線方向（図１３（ｂ）の左右方向）にほぼ直交した幅広の折曲げ部７７ｅを有しており、多数のファンアウト心線８９の上方に覆い被さって、それらの浮き上がりをより確実に防止できるようになっている。
【００６６】
図１５（ａ），（ｂ）に示すように、融着部収納部９０は、底部９２ｂとその両側の側部９２ａ，９２ａを有して断面Ｕ字溝状に形成されたＵ字板９２と、Ｕ字板９２の長手方向（図１５（ｂ）の上下方向）の両側に、ケース本体７２の底面部７２ｂから立設されたピン９３と、ピン９３に被せられたチューブ９４とを有する。Ｕ字板９２やピン９３は、ステンレスやスチールなどから構成することができる。チューブ９４の材質としては、光ファイバを傷つけないように、シリコーンゴムなどの柔軟な材質が好ましい。
ファンアウト心線８９と他の光ファイバ８８との融着部９１は、Ｕ字板９２内に収納される。光ファイバ８９，８８は、ピン９３の両側（図１５（ａ）の左右の両側）それぞれを通って配線される。これにより、ピン９３の両側に２列に融着部９１を収納でき、融着部収納部９０の高さ（図１５（ａ）の上下の寸法）を抑制できる。
【００６７】
なお、融着部収納部９０は、ピン９３をケース本体７２から突設した構成に限定されない。例えば、図１６に示す融着部収納部９０では、Ｕ字板９２の底部９２ｂの幅方向の中央部から延長部９２ｃを突出させ、該延長部９２ｃをＵ字板９２の長手方向の両側に延長し、さらに該延長部９２ｃの先端部９２ｄを折り曲げて、ケース本体７２の底面部７２ｂに略垂直な方向に立てている。そして延長部９２ｃの先端部９２ｄにチューブ９４を被せている。
このような融着部収納部９０によっても、チューブ９４を被せた延長部９２ｃの先端部９２ｄによって、光ファイバ８９，８８の経路を仕切ることができ、ピン９３を設けた構成と同様の作用および効果を奏する。
【００６８】
光ファイバ８８，８９は、ケース７１内で、図１４（ａ），（ｂ）に示すように配線される。この配線作業は、例えば、以下の手順によって行うことができる。まず、ファンアウト心線８９の単心光ファイバ側の先端に取り付けられた光コネクタ８９ａを光コネクタアダプタ７４にコネクタ接続し、余長を光ファイバガイド７５の周りに巻き回して、ファンアウト心線８９の多心側をプレート８１の隙間８１ｅから引き出す。さらにプレート８１上に引き出された光ファイバ８９を、ケース７１外から中に引き込まれる光ファイバ８８と融着接続し、光ファイバ８９，８８の融着部９１を融着部収納部９０に収納するとともに、光ファイバ８９，８８の余長を光ファイバガイド８５，８６，８７の周りに巻き回す。さらに、光ファイバ８８を光ファイバ挿入口７１ｂから引き出したのち、蓋７３をケース本体７２にネジ締めして閉める。
【００６９】
上述のようなカプラモジュール７０，７０Ｂ，７０Ｆや、成端モジュール８０は、いずれも図７に示したモジュール収納棚６０に収納することができる。カプラモジュール７０，７０Ｂ，７０Ｆ等に接続される光ファイバは、例えば伝送装置側の光ファイバ６７をモジュール収納棚６０の天板６３側に配線し、端末側の光ファイバ６８をモジュール収納棚６０の底板６４側に配線するようにすれば、光ファイバを振り分けて配線を整然と行うことができる。
【００７０】
図５に示すように、カプラユニット２３と成端ユニット４２との間をジャンパコード５０で配線するような場合には、例えば、カプラユニット２３として、カプラモジュール７０，７０Ｂ，７０Ｆを収納した一のモジュール収納棚６０を用い、成端ユニット４２として、成端モジュール８０を収納した他のモジュール収納棚６０を用い、これらモジュール収納棚６０，６０の間にジャンパコード５０を配線して接続してもよい。
また、図１７に示すように、一つのモジュール収納棚６０に、カプラモジュール７０，７０Ｂ，７０Ｆと成端モジュール８０とを収納し、カプラモジュール７０，７０Ｂと成端モジュール８０との間にジャンパコード５０を配線して接続してもよい。
【００７１】
図１８に、モジュール収納棚の改変例を示す。このモジュール収納棚１００（シャーシ）は、両側の側部１０１，１０１と、背面部１０２と、操作側の前面（図１６の左下側）を除く三方にて前記背面部１０２および側部１０１，１０１と連結された棚板１０３により、トレー状の棚として構成されている。モジュール収納棚１００としては、例えば、ステンレス板や鋼板などの適宜の材料を折り曲げ成形したものを用いることができる。
【００７２】
側部１０１の前面側の端縁部１０１ａは、互いに他方の側部１０１の側と反対側である外方に折り曲げられている。この端縁部１０１ａには、モジュール収納棚１００をラック等にボルトやナットなどで取り付けるための溝状または穴状の取付部１０１ｂが設けられている。また、背面部１０２には、嵌合用のスリット１０２ａが設けられている。
棚板１０３の上は、カプラモジュール７０や成端モジュール８０を収納するためのモジュール収納領域１０６となっている。カプラモジュール７０を棚板１０３上に固定するため、棚板１０３の前縁部１０３ａには、取付穴１０４ａ（ネジ穴）が穿設された取付部１０４が立設されている。
【００７３】
棚板１０３の前面側には、伝送装置側の光ファイバ６７を挟み込んで保持するクリップ１０７と、端末置側の光ファイバ６８を挟み込んで保持するクリップ１０８とが、モジュール収納領域１０６の左右に分かれて設けられている。
ここでは、取付部１０４およびスリット１０２ａは、棚板１０３の幅方向（図１８の左右方向）に一定の間隔で設けられており、モジュール７０を棚板１０３の幅方向に並べて配置できるようになっている。ここではモジュール７０は、蓋７３を上に向けて、棚板１０３上に平置きにされている。
【００７４】
モジュール７０は、差込片７３ｃを、モジュール収納棚１００の背面部１０２のスリット１０２ａに差し込むとともに、モジュール７０の取付部７１ｄを、棚板１０３に設けられた取付部１０４ａに当接させて、取付穴１０４ａ，７１ｅ同士を位置合わせしてネジで締めることにより、棚板１０３上のモジュール収納領域１０６にしっかりと固定することができる。
このような構成のモジュール収納棚１００によれば、光配線装置などを構成するためのラックの高さ方向のスペースをあまり必要とせずに、必要な個数のモジュール７０をコンパクトかつ高密度に設置することができる。
【００７５】
以上、本発明を好適な実施の形態に基づいて説明してきたが、本発明はこの実施の形態のみに限定されるものではなく本発明の要旨を逸脱しない範囲で種々の改変が可能である。
例えば、光ファイバとしては、単心または多心の光ファイバ心線、光ファイバコードなどを適宜使用可能であり、補強および取扱性向上のため、エラストマーなどからなる周知の保護チューブなどを必要に応じて適用してもよい。また、光ファイバケーブルの収容心数なども、何ら限定されるものではない。光ファイバカプラとしては、融着延伸カプラ、基板型光導波路カプラなど、公知の種々のものを特に限定されることなく採用することができる。
【００７６】
【発明の効果】
以上説明したように、本発明によれば、光伝送システムのユーザ数（端末数）の増加に対応して、光ファイバを効率的かつ経済的に増設することが可能となる。
【図面の簡単な説明】
【図１】本発明の光伝送システムの一例を示す模式図である。
【図２】本発明の光配線方法によって光伝送システムの回線を増設する方法を説明する模式図であり、（ａ）は増設前、（ｂ）は増設後の状態の一例を示す図である。
【図３】本発明の光伝送システムにおいて、中継局と端局における光配線の第１例を示す概略構成図である。
【図４】本発明の光伝送システムにおいて、中継局と端局における光配線の第２例を示す概略構成図である。
【図５】本発明の光伝送システムにおいて、中継局と端局における光配線の第３例を示す概略構成図である。
【図６】本発明の光伝送システムにおいて、中継局と端局における光配線の第４例を示す概略構成図である。
【図７】モジュール収納棚の一例を示す斜視図である。
【図８】カプラモジュールの第１の実施の形態の構成例を示す（ａ）正面図、および（ｂ）側面図である。
【図９】図８のカプラモジュールの（ａ）蓋を開けた状態を示す正面図、（ｂ）全体の断面図、および（ｃ）蓋の正面図である。
【図１０】図８のカプラモジュール内の配線例を示し、（ａ）装置側光ファイバの本数を１、外線側光ファイバの本数を８とした配線例を示す正面図である。（ｂ）装置側光ファイバの本数を２、外線側光ファイバの本数を８とした配線例を示す正面図である。（ｃ）装置側光ファイバの本数を３、外線側光ファイバの本数を６とした配線例を示す正面図である。
【図１１】カプラモジュールの第２の実施の形態の構成例を示す（ａ）正面図、および（ｂ）側面図である。
【図１２】図１１のカプラモジュールの（ａ）蓋を開けた状態を示す正面図、（ｂ）プレートを省略した状態を示す図、および（ｃ）全体の断面図である。
【図１３】カプラモジュールの改変例および成端モジュールの一例を示す（ａ）正面図、および（ｂ）側面図である。
【図１４】図１３に示す成端モジュールの（ａ）蓋を開けた状態を示す正面図、（ｂ）プレートを省略した状態を示す図、および（ｃ）全体の断面図である。
【図１５】成端モジュールの融着部収納部を示す（ａ）端面図、および（ｂ）正面図である。
【図１６】成端モジュールの融着部収納部の改変例を示す（ａ）端面図、および（ｂ）正面図である。
【図１７】カプラ収納部における光ファイバの配線例を示す正面図である。
【図１８】モジュール収納棚の他の例を示す斜視図である。
【符号の説明】
１…伝送装置、２…光配線装置、３…装置側光ファイバ、４…カプラ収納部、５…局側光カプラ、６…外線側光ファイバ、７…分配用光カプラ、１０…光伝送システム、１６…光接続箱、１７…分配用光ファイバ、１９…端末、６０…モジュール収納棚（カプラ収納部）、７０，７０Ｂ，７０Ｆ…、カプラモジュール、７１…ケース、１００…モジュール収納棚（カプラ収納部）。
【図１】
2005017519.tif 000003
【図２】
2005017519.tif 000004
【図３】
2005017519.tif 000005
【図４】
2005017519.tif 000006
【図５】
2005017519.tif 000007
【図６】
2005017519.tif 000008
【図７】
2005017519.tif 000009
【図８】
2005017519.tif 000010
【図９】
2005017519.tif 000011
【図１０】
2005017519.tif 000012
【図１１】
2005017519.tif 000013
【図１２】
2005017519.tif 000014
【図１３】
2005017519.tif 000015
【図１４】
2005017519.tif 000016
【図１５】
2005017519.tif 000017
【図１６】
2005017519.tif 000018
【図１７】
2005017519.tif 000019
【図１８】
2005017519.tif 000020